(57)【要約】【課題】  射出成形された二分割体の構成とする操作筒に誤動作のない開閉機構を装設するショックアブソーバ機構を備えた浴槽用遠隔操作式排水栓装置の操作部を提供する。【解決手段】  被係合歯３３ａを操作筒内面の係合歯２３に操作ボタンの押動力を受けて係合案内して強制回転させる。操作筒は長さ方向に分割化して相互の端部の着脱可能な接続で組付けられる筒状の二分割体１、２で構成し、両分割体１、２は各々合成樹脂の一体成形品とし、操作軸８を進退可能に設ける一方の分割体１に前記係止歯１３を一体に設け、チューブ当て部５を同接続でその周縁に設けた鍔部２５が挟持させて取り付けられるように構成して、前記一方の分割体１内に軸戻し用弾機９を、他方の分割体２内にショックアブソーバ用圧縮弾機４を各々収容し、該チューブ当て部５に前記係合歯２３を一体に形成する。【選択図】  図３
2006307541.tif 000002
【特許請求の範囲】
【請求項１】
操作筒内に一端側から挿入されるレリースワイヤから突出するインナーワイヤを該操作筒に他端側から進退可能に設けられる操作軸で押動可能とし、その操作筒中途部に設けたチューブ当て部に前記操作部内のアウターチューブ内端に形成した鍔状受け部を当接すると共にその鍔状受け部をチューブ当て部方向に付勢するショックアブソーバ用圧縮弾機を操作筒内に介装し、前記インナーワイヤを、チューブ当て部を通過させて前記操作軸で押動可能に連絡した排水栓装置の操作部において、前記操作筒内にスラストロック機構を備え、該スラストロック機構は、前記操作軸に回転可能に設けられ操作軸の進退方向前後面に被係合歯を有する回転リングと、前記ショックアブソーバ用圧縮弾機とは前記チューブ当て部を挟んで配置され操作軸を操作筒の前記他端側に付勢する軸戻し用弾機と、前記操作筒内に設けられ操作軸押動の度に前記他端側の面とは逆側の面の被係合歯を係合案内して回転リングを回転させる回転不能に設けられた係合歯と、前記操作筒内において前記係合歯と対向状に設けられ前記操作軸押動の度に前記他端側の面の被係合歯の係止と係止解除とを交互に繰り返す係止歯とを備えていることを特徴とする浴槽用遠隔操作式排水栓装置の操作部。
【請求項２】
前記操作筒は長さ方向に分割化され相互の端部の着脱可能な接続で組付けられる筒状の二分割体からなり、両分割体は各々合成樹脂の一体成形品であり、操作軸を進退可能に設ける一方の分割体に前記係止歯を一体に設け、前記チューブ当て部を同接続でその周縁に設けた鍔部が挟持させて取り付けられるように構成して、前記一方の分割体内に軸戻し用弾機を、他方の分割体内に前記軸戻し用弾機を各々収容し、該チューブ当て部に前記係合歯を一体に形成していることを特徴とする請求項１記載の浴槽用遠隔操作式排水栓装置の操作部。
【請求項３】
前記操作筒は浴槽に取付られ、且つ二分割体相互の前記接続が螺嵌であり、前記チューブ当て部は二分割体で挟持される鍔部と、前記二分割体接続状態における他方の分割体の開放部に嵌挿され前記軸戻し用弾機をクリアランスを介して伸縮可能に案内する凹部と、前記一方の分割体の開放部に嵌挿されるように起設されその起設端に前記係合歯を有する短筒状部とを一体に有することを特徴とする請求項２記載の浴槽用遠隔操作式排水栓装置の操作部。
【発明の詳細な説明】
【技術分野】
【０００１】
本発明はレリースワイヤの遠隔操作で排水栓を開閉する遠隔操作式排水栓装置の操作部、更に詳しくはショックアブソーバ機構を有する浴槽用遠隔操作式排水栓装置の操作部に関するものである。
【背景技術】
【０００２】
従来、ショックアブソーバ機構を有する浴槽用遠隔操作式排水栓装置の操作部には、操作部内に一端側から挿入されるレリースワイヤから突出するインナーワイヤを該操作部に他端側から進退可能に設けられる操作軸で押動可能とし、前記操作部内のアウターチューブ内端に形成した鍔状受け部と、その鍔状受け部よりも排水栓側の操作部内とに亘ってレリースワイヤを囲繞するショックアブソーバ用圧縮弾機を介装し、前記鍔状受け部を操作部内の中途部に設けたチューブ当て部に当接し、前記インナーワイヤを、前記チューブ当て部を通過させて前記操作軸で押動可能に連絡した構成になっているものがある（例えば、特許文献１参照。）。
この、先行技術は操作筒が長さ方向に分割された二分割体で構成され、両分割体が相互の螺嵌によって接続される構成にしている。
そして、操作軸を進退可能に設けるガイド用分割体とは別の分割体にショックアブソーバ用圧縮弾機を挿入し、両分割体を螺嵌で接続する同時にチューブ当て部を挟持して、そのチューブ当て部でアウターチューブの一端に設けた鍔状受け部をショックアブソーバ用圧縮弾機の付勢力を受けた状態で位置決めし、またそのチューブ当て部で軸戻し圧縮弾機を支承するようになっている。
この先行技術は、閉栓状態で踏みつける等して栓蓋に押圧力が掛かっている状態で操作ボタンを誤って押動操作したり、操作ボタンを押動操作している途中に栓蓋に落下物で荷重が掛かったりして栓蓋が押上げられずにインナーワイヤが逃げ場を失う場合に、ショックアブソーバ用圧縮弾機を圧縮してアウターチューブの両端部間を接近させ、それによってインナーワイヤの逃げ場を確保して、インナーワイヤの座屈変形を防止することができる。
【０００３】
ところで、浴槽用に関わらずレリースワイヤを伝達手段に使用する遠隔操作式排水栓装置には、排水栓の開栓、閉栓を交互に行う開閉機構（スラストロック機構）を必要とする。
この開閉機構は、排水栓側に設ける場合と、操作部側に設ける場合の双方のケースが存在し、開閉機構（スラストロック機構）を操作部側に設けると排水口の排水空間を広く確保することができる。
開閉機構（スラストロック機構）は操作軸に固定され係合歯を有する固定リングと、その操作軸に固定リングに対して直列状で且つ回転可能に設けられ被係合歯を有する回転リングと、操作筒内面に設けた係止歯とを備えており、操作軸押動の度に、固定リングの係合歯と回転リングの被係合歯との係合で回転リングが回転して、回転毎に係止歯に対する回転リングの被係合歯の係止と係止解除が交互に繰り返されて、係止が解除されると係止歯間の溝部から固定リングと共に回転リングがガイドされて排水栓の開閉が行われる構成が一般的である。
この開閉機構にあっては、押動の度に固定リングで回転リングが鋸歯状の係止歯間の案内溝でガイドされて係止歯を越えた時点でその固定リングの係合歯で回転リングの被係合歯がスライド回転し、軸戻し圧縮弾機の付勢力で係止歯にその被係合歯が係合して、ロックとロック解除を交互に繰り返すものである。
しかしながら、固定リングの係合歯と、回転リングの被係合歯との間に進入する水で表面張力が作用していたり、水垢のこびり付き等で、回転リングが所定のスライド回転することなく係止歯に係止せずに逆回転を起こしてスラストロックしないことがあり、高精度とは言い難いものであった。
前記操作筒を構成する二分割体は廉価に提供する上で一体成形品（例えば射出成形品）が好ましく、一体成形品である二分割体に誤動作のない開閉機構を設けて、組立可能するには工夫を要する。
【特許文献１】特開２００４−３６０７９号公報
【発明の開示】
【発明が解決しようとする課題】
【０００４】
本発明は上記従来事情に鑑みてなされたもので、その目的とする処は誤動作を起こすことがないショックアブソーバ機構を備えた浴槽用遠隔操作式排水栓装置の操作部を提供することにある。
他の目的とする処は、射出成形された二分割体の構成とする操作筒に誤動作のない開閉機構を装設するショックアブソーバ機構を備えた浴槽用遠隔操作式排水栓装置の操作部を提供することにある。
【課題を解決するための手段】
【０００５】
前記課題を解決するために講じた技術的手段は、操作筒内に一端側から挿入されるレリースワイヤから突出するインナーワイヤを該操作筒に他端側から進退可能に設けられる操作軸で押動可能とし、その操作筒中途部に設けたチューブ当て部に前記操作部内のアウターチューブ内端に形成した鍔状受け部を当接すると共にその鍔状受け部をチューブ当て部方向に付勢するショックアブソーバ用圧縮弾機を操作筒内に介装し、前記インナーワイヤを、チューブ当て部を通過させて前記操作軸で押動可能に連絡した排水栓装置の操作部において、前記操作筒内にスラストロック機構を備え、該スラストロック機構は、前記操作軸に回転可能に設けられ操作軸の進退方向前後面に被係合歯を有する回転リングと、前記ショックアブソーバ用圧縮弾機とは前記チューブ当て部を挟んで配置され操作軸を操作筒の前記他端側に付勢する軸戻し用弾機と、前記操作筒内に設けられ操作軸押動の度に前記他端側の面とは逆側の面の被係合歯を係合案内して回転リングを回転させる回転不能に設けられた係合歯と、前記操作筒内において前記係合歯と対向状に設けられ前記操作軸押動の度に前記他端側の面の被係合歯の係止と係止解除とを交互に繰り返す係止歯とを備えていることを特徴とする浴槽用遠隔操作式排水栓装置の操作部である（請求項１）。
【０００６】
以上の手段によれば、操作ボタンを押動すると、操作軸が進行して操作軸に回転可能な回転リングの反操作ボタン側（前記他端側の面とは逆側の面）の被係合歯が操作筒内面の係止歯に係合案内されて強制回転し、押動力を停止すると、軸戻し用弾機の付勢力を受けて操作ボタン側（前記前記他端側の面）の被係合歯が操作筒内面の係止歯に係止し、開栓状態になる。再度操作部を押動すると、回転リングの反操作ボタン側の被係合歯が前記係合歯に係合案内されて強制回転し、押動力を停止すると、被係合歯が、今度は前記係止歯に係止されずに案内されて回転リングと操作軸を後退させ、閉栓状態にする。これを操作部の押動の度に交互に繰り返す。
【０００７】
また、前記操作筒は長さ方向に分割化され相互の端部の着脱可能な接続で組付けられる筒状の二分割体からなり、両分割体は各々合成樹脂の一体成形品であり、操作軸を進退可能に設ける一方の分割体に前記係止歯を一体に設け、前記チューブ当て部を同接続でその周縁に設けた鍔部が挟持させて取り付けられるように構成して、前記一方の分割体内に軸戻し用弾機を、他方の分割体内に前記軸戻し用弾機を各々収容し、該チューブ当て部に前記係合歯を一体に形成した構成を採用すると良いものである（請求項２）。
【０００８】
この手段によれば、操作筒を、合成樹脂の一体成形品（射出成形）からなる長さ方向に分割した二分割体で構成し、その分割体の接続で組立可能にする。
上半部の分割体にスラストロック機構の係止歯を一体成形する。
下半部の分割体には、ショックアブソーバ用圧縮弾機の一端を支承する受け鍔を一体成形する。
係止歯と係合歯との双方を一体に有する一体成形品は廉価な射出成形では成形できない。
それ故、両分割体を開放部相互の接続で組付ける時に鍔部を挟持してチューブ当て部を配設すると同時にショックアブソーバ用圧縮弾機の付勢力を受けるアウターチューブ内端の鍔状受け部をそのチューブ当て部を当て面にして位置決めした上にそのチューブ当て部に一体な係合歯を所定位置に配置することができるようにしている。
【０００９】
そして、前記操作筒は浴槽に取付られ、且つ二分割体相互の前記接続が螺嵌であり、前記チューブ当て部は二分割体で挟持される鍔部と、前記二分割体接続状態における他方の分割体の開放部に嵌挿され前記軸戻し用弾機をクリアランスを介して伸縮可能に案内する凹部と、前記一方の分割体の開放部に嵌挿されるように起設されその起設端に前記係合歯を有する短筒状部とを一体に有する構成にすると好適なものである（請求項３）。
【００１０】
この手段にあっては、軸戻し用弾機がインナーワイヤと直交する方向に大きく移動するのをそのクリアランスで回避してインナーワイヤとの干渉を防止する。
また、そのチューブ当て部の凹部と短筒状部とが双方の分割体の開放部に嵌挿されてガイド部となり、分割体相互に螺嵌作業を容易にする。
【発明の効果】
【００１１】
本発明は以上のように構成したので、下記の利点がある。
（請求項１）回転リングの被係合歯を操作筒に回転不能に設けた係合歯に操作ボタンの操作力で突き当てて強制回転するものであるから、誤動作を防止できる。
（請求項２）しかも、その操作筒を一体成形品からなる長さ方向の二分割体で形成して、チューブ当て部に係合歯を一体に形成しているので、操作筒の成形性を阻害することなく、開閉機構（スラストロック機構）を装設することができる。
（請求項３）また、そのチューブ当て部が分割体の一方の開放部に嵌挿される凹部（弾機案内部）と、係合歯を有し分割体の他方の開放部に嵌挿される短筒状部とを一体に備えているから、そのチューブ当て部が両分割体を螺嵌で接続する際に両分割体を同軸上に位置決めするスペーサー的機能を有し、螺嵌接続が非常に簡単に行える。
その上、その凹部（弾機案内部）の働きでインナーワイヤに軸戻し用弾機が擦れて金属異音を発生させるようなこともなくなる。
【発明を実施するための最良の形態】
【００１２】
次に本発明浴槽用遠隔操作式排水栓装置の操作部の一実施の形態を図１〜図５に基づいて説明すると、図面において、符号Ａはその操作部である。
【００１３】
前記操作部Ａは、図３に示すように長さ方向、即ち上下方向に分割された２つの筒状分割体１、２からなる操作筒を筺体とし、浴槽の上縁面（上面）Ｂにその操作筒を鉛直状に取り付けている。下記では、筒状分割体１を上半部、筒状分割体２を下半部と称する。
前記上半部１は、射出成形による一体成形品（例えばポリアセタール製）であり、上端部に浴槽の上縁面Ｂを取付面として掛止して取着する掛止鍔１１を、また下端部を開放すると共にその下端外周面に雄螺子２１を螺設し、内面中途部位に開閉機構であるスラストロック機構３の係止歯１３を一体に備えている。雄螺子２１は成形後に螺刻される。
【００１４】
前記下半部２は、射出成形による一体成形品（例えばポリアセタール製）であり、前記雄螺子２１が螺合する雌螺子２２を内周面に螺設した被螺子筒１２を前記上半部１下端開放部と対応して一体に形成し、前記雄螺子２１と該被螺子筒１２の雌螺子２２との螺合で前記上半部１とこの下半部２とが分解可能に接続されるようになっている。
また、この下半部２には、被螺子筒１２とは逆側端にショックアブソーバ用圧縮弾機４の一端を支承する受け鍔３２が一体に成形されている。
尚、前記上記上半部１と下半部２との接続はスナップフィット、その他の構造であっても良いものである。
【００１５】
前記上半部１と下半部２と接続時にチューブ当て部５が挟持されて組み込まれるようになっている。
このチューブ当て部５は、図３に示すように前記下半部２の開放端内周面に嵌挿される凹部からなる弾機案内部１５と、その弾機案内部１５の開放縁に下半部２と上半部１との接続時に挟持される挟持用鍔部２５と、前記上半部２の内周面に嵌挿されスラストロック機構３の係合歯２３を先端に有する短筒状部３５とを合成樹脂をもって一体に形成し、弾機案内部１５の底中心にインナーワイヤ１７の通孔１５ａを開孔している。
【００１６】
前記操作部Ａと排水部６に連結される排水栓用レリース７は、その一端を、前記下半部２の下端から内部に挿入して、インナーワイヤ１７のみを前記通孔１５ａを通過させて上半部１の上端から内部に挿入される操作軸８の内端に連結すると共にアウターチューブ２７の内端を前記弾機案内部１５の下面に当接させてなり、そのアウターチューブ２７内端と下半部２下端の前記受け鍔３２との間にインナーワイヤ１７を中心にしてショックアブソーバ用圧縮弾機４を介在させている。
前記操作軸８には、その上端側に操作ボタン１８が、また下端側近傍にスラストロック機構３の回転リング３３が設けられており、その操作ボタン１８の押動操作で前記上半部２に対してその掛止鍔１１側から挿入されて回転リング３３が進退するようになっている。
【００１７】
また、前記アウターチューブ２７の内端には、鍔状受け部２７ａが形成されている。
前記鍔状受け部２７ａは、図３に示すようにアウターチューブ２７の開放端に形成した肉厚状鍔部２７ａ’におけるアウターチューブ本体２７’（肉厚状鍔部間のアウターチューブ）側の裏面にアウターチューブ本体２７’に外嵌挿するバネ受け座板２７ａ”を掛止して形成されている。
【００１８】
前記肉厚状鍔部２７ａ’は、２ｍｍ程度の厚みをもって鍔状に周設され、バネ受け座板２７ａ”の裏面に輪状をもって突出した爪部を前記裏面に喰い込み掛止することによって、その肉厚な鍔部自体の剛性と、その鍔部自体に喰い込んで安定する爪部付き座板バネ受け座板２７ａ”の剛性とが相俟ってショックアブソーバ用圧縮弾機４の一端部を安定して支持することができるようになっている。
【００１９】
また、操作軸８の下端には、下半部２の下端側から挿入されるレリースワイヤ７のインナーワイヤ１７の内端が連結されて、操作軸８の進退でインナーワイヤ１７を押動できるようにしてあり、その連結部周りに設けたバネ受け２８と、前記凹部からなる弾機案内部１５底との間に軸戻し弾機９が介装されている。
この軸戻し用弾機９は、図３に示すように下端側を凹部からなる弾機案内部１５の内周面との間にクリアランスをもって伸縮可能に遊嵌合されている。
これによって、軸戻し用弾機９がインナーワイヤ１７と直交する方向に大きく移動するのを回避されて、軸戻し用弾機９がインナーワイヤ１７と防止することがないようにしている。
【００２０】
尚、レリースワイヤ７の他端側である排水部６は、周知なように、排水口１６の口芯に設置される案内筒２６の下端にアウターチューブ２７の他端を連結すると共に、栓蓋３６の支持軸４６を、案内筒２６の上端側から進退可能に挿入し、その支持軸４６を案内筒２６内に進入するインナーワイヤ１７の他端側で押動可能としている。（図１、図２参照）。
【００２１】
前記スラストロック機構３は、図３に示すように前記操作軸８に回転可能になっている回転リング３３に設けた被係合歯３３ａ、３３ａ、前記チューブ当て部５に一体成形した係合歯２３と、上半部１内面に形成した係止歯１３とからなっている。
【００２２】
前記回転リング３３は、操作軸８の進退方向前後面に９０度の間隔をおいて被係合歯３３ａ、３３ａを形成している。
【００２３】
前記係合歯２３は、前記するチューブ当て部１５の短筒状部３５に９０度の間隔をおいて落下溝２３ｂを設けて、４個形成されており、この４個の係合歯２３は、更に中間部に落下溝２３ｃを設けて、鋸状歯部２３ａを一体に刻設することによって構成されている（図５参照）。
【００２４】
前記係止歯１３は、上半部１の側壁に９０度おきに前記被係合歯３３ａ、３３ａの案内溝１３ｂを設けて、４個形成されており、４個の係止歯１３は、鋸状歯部１３ａで構成してある（図５参照）。
【００２５】
また、前記被係合歯３３ａ、３３ａは、前記操作軸８の進退方向前後面を各々傾斜面とする略横向き台形状に形成され、その反操作ボタン側の被係合歯３３ａが前記係合歯２３の鋸状歯部２３ａに強制係合し、操作ボタン側の被係合歯３３ａが前記係止歯１３の鋸状歯部１３ａに係止するようになっている。
そして、前記する係合歯２３と係止歯１３はその鋸状歯部２３ａ、１３ａが向かい合うように対向配置されている。
【００２６】
そして、操作ボタン１８の押動操作によって軸戻し用弾機９の付勢力に抗して回転リング３３が案内溝１３ｂで案内されて、反操作ボタン側の被係合歯３３ａを係合歯２３に操作力を受けて係合し強制回転させられて落下溝２３ａの上方開放部に臨み、押動力の解除で操作ボタン側の被係合歯３３ａを係止歯１３に係止して栓蓋３６を上昇させて開栓状態でロックする（図５（ａ）（ｂ））。
前記落下溝２３ｂは、操作ボタン１８をあまりにも強く押動操作した際の被係合歯３３ａの逃げ溝で、押動力を解除すると、前記と同様に図５（ｂ）に至り、ロックする。
続く、操作ボタン１８の押動操作で再び反操作ボタン側の被係合歯３３ａを係合歯２３に操作力を受けて係合し強制回転させられ、押動力の解除で被係合歯３３ａ、３３ａが案内溝３３ｂに落下しガイドされて、閉栓する（図５（ｃ）（ｄ））。
前記落下溝２３ｃは、ロック解除時に操作ボタン１８をあまりにも強く押動操作した際の被係合歯３３ａの逃げ溝である。
【００２７】
以上のように構成されている浴槽用遠隔操作式排水栓装置の操作部Ａは、閉栓時に排水部６側の戻し弾機（図示せず）のバネ力でインナーワイヤ１７を操作部Ａ側に押動することによって操作軸８並びに操作ボタン１８を復帰位置に押動させている（図１参照）。この時、操作部Ａ側の軸戻し用弾機９は伸び切った状態にある（図１、図３（ａ）参照）。この状態で操作ボタン１８を押動操作すると、操作部Ａ側の軸戻し用弾機９及び排水部６側の戻し弾機を圧縮してインナーワイヤ１７を下降させ他端側を上昇させ支持軸４６を上昇させて開栓する。この開栓時の操作ボタン１８は操作部側の軸戻し用弾機９のみの復元力で閉栓時よりは若干低い位置に復帰する。
そして、閉栓状態に踏みつける等して栓蓋３６に押圧力が掛かっている状態で操作ボタン１８を誤って押動操作してしまったり、操作ボタン１８を押動操作している途中に栓蓋３６に落下物Ｍで荷重が掛ったりした場合には、図２に示すようにショックアブソーバ用圧縮弾機４を圧縮しアウターチューブ２７両端部間を接近させてインナーワイヤ１７が逃げる余裕を自ずと作り出すので、アウターチューブ２７に負担を掛けずにインナーワイヤ１７の座屈変形を防止する。
また、開栓、閉栓時の被係合歯３３ａを操作ボタン１８の押動力を受けて係合歯２３に係合させて強制回転させるようになるので、表面張力、付着する水垢の影響を受けることなく、スラストロック機構３を円滑作動させることができる。
そして、その操作部Ａを構成する上半部１と下半部２とは組立時に螺嵌されるが、その際、チューブ当て部５の弾機案内部１５を下半部２に嵌挿しておくことによって、短筒状部３５が上半部１を下半部２に螺嵌する時のガイド筒となり、螺嵌作業を容易にする（図３（ｂ））。
【００２８】
尚、この実施の形態では、係合歯２３、係止歯１３を９０度の間隔をおいた４個のものを説明しているが、１２０度の間隔をおいた３個、１８０度の間隔をおいた２個のものにしても良いものである。歯数の減少で操作筒を小径にしてコンパクト化することができる。
また、本発明操作部の取付面は浴槽の上縁面に限るものではなく、エプロンでも良いものである。
【図面の簡単な説明】
【００２９】
【図１】本発明浴槽用遠隔操作式排水栓装置の操作部の使用状態を示す正面図で断面して示す。
【図２】栓蓋に落下物が乗っかっている状態で操作ボタンを押動操作した時の同操作部の使用状態を示す正面図で、排水栓用レリースの動きを示し、
【図３】要部である操作部の正面断面図で、（ａ）は閉栓状態、（ｂ）は、下側の筒状分割体に対して上側の筒状分割体を螺嵌する組み付け状態を示す。
【図４】回転リングの斜視図。
【図５】スラストロック機構の被係合歯、係合歯、係止歯の関係を示す展開図で、（ａ）は被係合歯が係合歯で強制係合して回転する状態を、（ｂ）は被係合歯が係止歯にロックして開栓する状態を、（ｃ）は再び被係合歯が係合歯で強制係合して回転する状態を、（ｄ）は、被係合歯が案内溝に落下して閉栓する状態を、各々示している。
【符号の説明】
【００３０】
Ａ：操作部                                  ７：排水栓用レリース
８：操作軸                                １７：インナーワイヤ
２７：アウターチューブ                    ２７ａ：鍔状受け部
１８：操作ボタン                              ４：ショックアブソーバ用圧縮弾機
５：チューブ当て部                          ９：軸戻し弾機
１５：凹部（弾機案内部）                      ６：排水部
１、２：分割体（上半部、下半部）              ２３：係合歯
３３ａ、３３ａ：被係合歯                      １３：係止歯
３５：短筒状部                              ２５：鍔部（挟持用鍔部）
【図１】
2006307541.tif 000003
【図２】
2006307541.tif 000004
【図３】
2006307541.tif 000005
【図４】
2006307541.tif 000006
【図５】
2006307541.tif 000007